(57)【要約】【課題】コンテンツ再生時の輝度を最適化して個々の視聴者に合った、また視聴者の健康や環境に優しい表示を行う。【解決手段】記録再生装置２０で録画予約を行う際に、ＥＰＧ（電子番組表）により録画予約を行うようにする。そしてこのときに、記録再生装置２０では、録画予約情報に応じたバックライト輝度制御のための識別情報を生成して、録画の際に番組コンテンツに関連付けて記憶しておく。記録再生装置２０が記録した番組コンテンツを再生する際には、記録再生装置２０が記憶した識別情報を読み出して、液晶表示装置１０に送り、液晶表示装置１０がバックライト点灯のための光源駆動回路を制御して、その識別情報に応じた輝度でバックライトを点灯させる。【選択図】図１
2006318518.tif 000002
【特許請求の範囲】
【請求項１】
番組コンテンツの記録・再生が可能な記録再生装置と、該記録再生装置に接続する液晶表示装置とにより構成される表示システムであって、前記液晶表示装置は、液晶パネルと、該液晶パネルを照明する複数の蛍光ランプを備えたバックライトと、該バックライトの蛍光ランプの輝度を制御する輝度制御手段とを備え、
前記記録再生装置に番組コンテンツの録画を行う際に、前記液晶表示装置の前記バックライトの輝度制御を行うための識別情報を、録画予約対象の番組コンテンツに関連付けて所定の記録媒体に記録し、
前記記録再生装置は、前記録画した番組コンテンツを再生する際、前記識別情報に基づくバックライトの輝度制御信号を前記液晶表示装置に送信し、
前記液晶表示装置の輝度制御手段は、前記記録再生装置から送信された輝度制御信号に従って前記バックライトの輝度を制御することを特徴とする表示システム。
【請求項２】
請求項１に記載の表示システムにおいて、前記識別情報は、ユーザによる所定の操作入力に従って前記記録再生装置で生成されることを特徴とする表示システム。
【請求項３】
請求項１または２に記載の表示システムにおいて、前記識別情報は、所定の分類に従って、前記番組コンテンツの視聴者がどの分類に属するかの識別を可能とする情報であることを特徴とする表示システム。
【請求項４】
請求項１または２に記載の表示システムにおいて、前記識別情報は、前記番組コンテンツのジャンル情報に関連付けされた情報であることを特徴とする表示システム。
【請求項５】
請求項４に記載の表示システムにおいて、前記番組ジャンル情報は、電子番組表から取得された情報であることを特徴とする表示システム。
【請求項６】
請求項１ないし５のいずれか１に記載の表示システムにおいて、前記識別情報は、前記記録再生装置において録画予約が行われる際に生成され、該録画予約された番組コンテンツの録画が実行されたときに、該番組コンテンツに関連付けられて前記記録媒体に記録されることを特徴とする表示システム。
【請求項７】
請求項６に記載の表示システムにおいて、前記記録再生装置は、該記録再生装置に番組コンテンツの記録予約を行う際に電子番組表を取得して、該電子番組表を前記液晶表示装置の表示画面に表示させ、前記識別情報として、視聴者を識別する識別情報、あるいは番組コンテンツのジャンル情報を録画予約アイコンとして生成し、該生成した録画予約アイコンを前記電子番組表上に表示させることを特徴とする表示システム。
【請求項８】
請求項１ないし７のいずれか１に記載の表示システムにおいて、前記記録再生装置は、番組コンテンツを記録する記録媒体の交換中は前記液晶表示装置のバックライトの輝度を相対的に低くする輝度制御信号を生成して前記液晶表示装置に出力し、前記液晶表示装置の輝度制御手段は、前記記録再生装置から送信された輝度制御信号に従って前記バックライトの輝度を制御することを特徴とする表示システム。
【請求項９】
請求項１ないし８のいずれか１に記載の表示システムにおいて、前記記録再生装置は、番組コンテンツを記録する記録媒体間でコンテンツデータのダビングまたはムーブを実行するとき、該ダビングまたはムーブ対象の放送番組コンテンツにダビング禁止信号または著作権信号が含まれている場合は、前記液晶表示装置のバックライトの輝度を相対的に低くする輝度制御信号を生成して前記液晶表示装置に出力し、前記液晶表示装置の輝度制御手段は、前記記録再生装置から送信された輝度制御信号に従って前記バックライトの輝度を制御することを特徴とする表示システム。
【請求項１０】
請求項１ないし８のいずれか１に記載の表示システムにおいて、前記記録再生装置は、記録されている番組コンテンツを再生する際に、該再生する番組コンテンツが静止画か動画かを判別し、静止画のときには前記液晶表示装置のバックライトの輝度を相対的に低くする輝度制御信号を生成して前記液晶表示装置に出力し、前記液晶表示装置の輝度制御手段は、前記記録再生装置から送信された輝度制御信号に従って前記バックライトの輝度を制御することを特徴とする表示システム。
【請求項１１】
請求項１ないし１０のいずれか１に記載の表示システムにおいて、前記記録再生装置から前記液晶表示装置に送信される輝度制御信号を有効にするかまたは無効にするかを切り替える有効／無効選択手段を有することを特徴とする表示システム。
【請求項１２】
請求項１１に記載の表示システムにおいて、前記有効／無効選択手段による切り替え選択を常時有効にするかまたは常時無効にするかを切り替える常時有効／常時無効設定手段を有することを特徴とする表示システム。
【請求項１３】
請求項１２に記載の表示システムにおいて、前記常時有効／常時無効設定手段の切り替えを、前記液晶表示装置に出力したＯＳＤ表示画面を用いた入力操作、またはメカニカルスイッチの操作に応じて行うことを特徴とする表示システム。
【発明の詳細な説明】
【技術分野】
【０００１】
本発明は、表示システムに関し、より詳細には、記録再生装置と液晶表示装置とを有し、記録再生装置の記録情報に従って液晶表示装置のバックライトの輝度制御を行うようにした表示システムに関する。
【背景技術】
【０００２】
液晶パネルと、該液晶パネルを照明する複数の蛍光ランプを備えたバックライトとを備えた液晶表示装置が周知である。液晶表示装置には、通常バックライトが設けられ、バックライトの蛍光ランプによって液晶パネルの背面側を照明することにより、液晶パネルに表示される画像が視聴者によって視認できるようになっている。
【０００３】
液晶表示装置は、通常、ユーザの入力設定に応じてバックライトの輝度を変更できるように構成されている。例えば、所定の操作に従って、輝度レベルを設定できるメニュー画面を表示させ、そのメニューに従ってユーザが任意の輝度レベルを選択することができる。しかしながら、液晶表示装置がメーカーから出荷されて店頭に並ぶ時点では、画面の見栄えをよくするために高レベルの輝度値に設定されているのが通常である。そして、このような液晶表示装置を購入した消費者は、画面の輝度レベルをその都度変更することなく使用しているのが一般的であるといえる。
【０００４】
上記のような液晶表示装置において、バックライトの輝度を調整することによって、消費電力の低減を図ったり、またバックライトの寿命を伸ばすようにした各種の提案がなされている。例えば、特許文献１では、入力映像信号の同期信号を検出し、この同期信号が検出されないときにバックライトを自動的にオフにすることにより、バックライトの長寿命化や無駄な電力消費を減らすようにした液晶画像表示装置が開示されている。
【０００５】
上記特許文献１によれば、例えば映像信号源に装着されたビデオテープがテープエンドになって、この受信チヤンネルに映像信号が得られなくなったときには、輝度・クロマ分離回路で同期信号の抽出ができなくなり、垂直同期信号が点灯制御回路に供給されなくなる。従って、コンデンサの充電電位が低下し、トランジスタがオフになり、そのコレクタ電位がハイレベルになる。これにより、高圧駆動回路が高圧信号の発生を停止し、バックライトがオフになる。これによりバックライトの無駄な点灯が防止できるので、表示装置の無駄な電力消費が防止でき、消費電力の低減につながる。
【特許文献１】特開平２−２８０５８７号公報
【発明の開示】
【発明が解決しようとする課題】
【０００６】
液晶表示装置（例えば液晶テレビ）を視聴する視聴者、あるいは液晶表示装置に表示させるコンテンツの内容等によっては、上記のように出荷時に設定された高輝度レベルの表示では明るすぎる場合もある。例えば、老人や子供が液晶表示装置を視聴する場合、上記のような出荷時の高輝度表示では、明るすぎて目に優しい表示にはなっていない場合がある。また、例えば、暗い部屋で映画のようなコンテンツを視聴する場合は、画面輝度をある程度暗くした方がよい場合もある。
【０００７】
上記のような初期の輝度設定は、大型の液晶表示装置ほど画面の明るさが強調され、このような高輝度の状態で表示を継続していると、バックライトの寿命を不要に短くするとともに、消費電力も多くなるという問題が生じる。特に大画面の液晶表示装置における消費電力は、その大部分がバックライトの消費電力で占められており、環境負荷軽減の面からもバックライトにおける不必要な消費電力を削減することが望まれている。
【０００８】
また上記特許文献１の発明は、映像信号の有無に応じてバックライトの輝度調整を行うようにしたものであるが、上述のように液晶表示装置を視聴する視聴者や表示コンテンツの内容に応じて輝度レベルを調整する、という思想は何ら開示されていない。
また、通常の液晶表示装置に備えられたマニュアルによる輝度設定についても、上記のような老人や子供は、殆どの場合、上記マニュアルによる輝度設定を行うことなく視聴を続けているものと考えられる。
【０００９】
本発明は、上述のごとき実情に鑑みてなされたもので、記録再生装置にコンテンツを記録する際に液晶表示装置の輝度を制御するための識別情報を記録しておくことで、その識別情報を使用して液晶表示装置のバックライトの輝度を制御することにより、コンテンツ再生時の輝度を最適化して個々の視聴者に合った、また視聴者の健康や環境に優しい表示を行うことができ、また不必要な消費電力を削減して合理化できるようにした表示システムを提供することを目的とするものである。
【課題を解決するための手段】
【００１０】
第１の技術手段は、番組コンテンツの記録・再生が可能な記録再生装置と、記録再生装置に接続する液晶表示装置とにより構成される表示システムであって、液晶表示装置は、液晶パネルと、液晶パネルを照明する複数の蛍光ランプを備えたバックライトと、バックライトの蛍光ランプの輝度を制御する輝度制御手段とを備え、記録再生装置に番組コンテンツの録画を行う際に、液晶表示装置のバックライトの輝度制御を行うための識別情報を、録画予約対象の番組コンテンツに関連付けて所定の記録媒体に記録し、記録再生装置は、録画した番組コンテンツを再生する際、識別情報に基づくバックライトの輝度制御信号を液晶表示装置に送信し、液晶表示装置の輝度制御手段は、記録再生装置から送信された輝度制御信号に従ってバックライトの輝度を制御することを特徴としたものである。
【００１１】
第２の技術手段は、第１の技術手段において、識別情報は、ユーザによる所定の操作入力に従って記録再生装置で生成されることを特徴としたものである。
【００１２】
第３の技術手段は、第１または第２の技術手段において、識別情報は、所定の分類に従って、番組コンテンツの視聴者がどの分類に属するかの識別を可能とする情報であることを特徴としたものである。
【００１３】
第４の技術手段は、第１または第２の技術手段において、識別情報は、番組コンテンツのジャンル情報に関連付けされた情報であることを特徴としたものである。
【００１４】
第５の技術手段は、第４の技術手段において、番組ジャンル情報は、電子番組表から取得された情報であることを特徴としたものである。
【００１５】
第６の技術手段は、第１ないし第５のいずれか１の技術手段において、識別情報は、記録再生装置において録画予約が行われる際に生成され、録画予約された番組コンテンツの録画が実行されたときに、番組コンテンツに関連付けられて記録媒体に記録されることを特徴としたものである。
【００１６】
第７の技術手段は、第６の技術手段において、記録再生装置は、記録再生装置に番組コンテンツの記録予約を行う際に電子番組表を取得して、電子番組表を前記液晶表示装置の表示画面に表示させ、識別情報として、視聴者を識別する識別情報、あるいは番組コンテンツのジャンル情報を録画予約アイコンとして生成し、生成した録画予約アイコンを電子番組表上に表示させることを特徴としたものである。
【００１７】
第８技術手段は、第１ないし第７のいずれか１の技術手段において、記録再生装置は、番組コンテンツを記録する記録媒体の交換中は液晶表示装置のバックライトの輝度を相対的に低くする輝度制御信号を生成して液晶表示装置に出力し、液晶表示装置の輝度制御手段は、記録再生装置から送信された輝度制御信号に従ってバックライトの輝度を制御することを特徴としたものである。
【００１８】
第９の技術手段は、第１ないし第８のいずれか１の技術手段において、記録再生装置は、番組コンテンツを記録する記録媒体間でコンテンツデータのダビングまたはムーブを実行するとき、ダビングまたはムーブ対象の放送番組コンテンツにダビング禁止信号または著作権信号が含まれている場合は、液晶表示装置のバックライトの輝度を相対的に低くする輝度制御信号を生成して液晶表示装置に出力し、液晶表示装置の輝度制御手段は、記録再生装置から送信された輝度制御信号に従ってバックライトの輝度を制御することを特徴としたものである。
【００１９】
第１０の技術手段は、第１ないし第８のいずれか１の技術手段において、記録再生装置は、記録されている番組コンテンツを再生する際に、再生する番組コンテンツが静止画か動画かを判別し、静止画のときには液晶表示装置のバックライトの輝度を相対的に低くする輝度制御信号を生成して液晶表示装置に出力し、液晶表示装置の輝度制御手段は、記録再生装置から送信された輝度制御信号に従ってバックライトの輝度を制御することを特徴としたものである。
【００２０】
第１１の技術手段は、第１ないし第１０のいずれか１の技術手段において、記録再生装置から液晶表示装置に送信される輝度制御信号を有効にするかまたは無効にするかを切り替える有効／無効選択手段を有することを特徴としたものである。
【００２１】
第１２の技術手段は、第１１の技術手段において、有効／無効選択手段による切り替え選択を常時有効にするかまたは常時無効にするかを切り替える常時有効／常時無効設定手段を有することを特徴としたものである。
【００２２】
第１３の技術手段は、第１２の技術手段において、常時有効／常時無効設定手段の切り替えを、液晶表示装置に出力したＯＳＤ表示画面を用いた入力操作、またはメカニカルスイッチの操作に応じて行うことを特徴としたものである。
【発明の効果】
【００２３】
本発明によれば、記録再生装置にコンテンツを記録する際に液晶表示装置の輝度を制御するための識別情報を記録しておくことで、その識別情報を使用して液晶表示装置のバックライトの輝度を制御することにより、コンテンツ再生時の輝度を最適化して個々の視聴者に合った、また視聴者の健康や環境に優しい表示を行うことができ、また不必要な消費電力を削減して合理化できるようにした表示システムを提供することができる。
【発明を実施するための最良の形態】
【００２４】
本発明の表示システムによれば、番組コンテンツを記録する記録再生装置に対して録画あるいは録画予約を行うときに、その番組コンテンツを録画する人やジャンル等を識別可能とする識別情報を番組コンテンツとともに記録する。そして記録再生装置に記録した番組コンテンツを再生する際に、その番組コンテンツとともに記録した識別情報を読み出して、その識別情報に応じてバックライトの輝度調整を行うようにする。
【００２５】
例えば、記録再生装置に番組コンテンツを記録する際に、記録再生装置で電子番組表（ＥＰＧ）を取得して、番組一覧表を液晶表示装置の表示画面に表示させる。そして、番組コンテンツの録画予約を行う際に、録画予約を行う人を識別する識別情報、あるいは番組コンテンツのジャンル情報（例えば所定のコード情報等）を記録再生装置に対して入力しておく。そして、液晶表示装置の表示画面に表示させた電子番組表において、その録画対象の番組コンテンツに関連付けて、録画予約者やジャンル情報を示すアイコンを表示させる。
【００２６】
録画者の識別情報は、バックライトの輝度制御を行うために用いるものであるため、例えば予約者の分類として、子供、老人、大人等の分類を設定し、録画者の識別情報として、上記子供、老人、大人のいずれか分類を示す識別情報を録画時もしくは録画予約時に設定する。またジャンル情報としては、映画、スポーツ、ドラマ、ニュースなどのジャンルを示す識別情報を録画時もしくは録画予約時に設定する。
【００２７】
そして、記録再生装置に録画されたコンテンツを再生する際に、記録再生装置の制御部が番組コンテンツとともに記録された上記識別情報を認識する。そして記録再生装置の制御部は認識した識別情報に従って液晶表示装置のバックライトの輝度を制御する制御信号を液晶表示装置に出力する。液晶表示装置では、その制御信号に従って、液晶パネルを照明するバックライトの輝度を制御する。
例えば、子供や老人を示す識別情報が認識された場合は、子供あるいは老人が見る番組であるものと判断してバックライトの輝度を自動的に減少させて、子供あるいは老人の目に優しい表示を行う。またこれにより、バックライトの寿命も延ばすことができる。
【００２８】
図１は、本発明に関わる表示システムの構成例を示す図である。表示システム１は、液晶表示装置１０と、記録再生装置２０とを有して構成されている。液晶表示装置１０と記録再生装置２０は、別体で構成されていてもよく、またこれらが一体に構成された記録再生装置付きの液晶表示装置として構成されていてもよい。
【００２９】
液晶表示装置１０は、バックライトによって照明されることにより、映像が視認できる構成を備えたものである。本実施形態では、液晶表示装置１０のバックライトの輝度を、記録再生装置２０に記録された番組コンテンツに対する識別情報（視聴者や番組ジャンル等の識別情報）、あるいはその他の所定の制御情報に応じて変化させる。バックライトの輝度設定の詳細については、順次以下に説明していく。
【００３０】
番組コンテンツは、例えば図示しないアンテナから、記録再生装置２０に直接または液晶表示装置１０を介して入力する。番組コンテンツを録画しようとするユーザは、録画時もしくは録画予約時に、番組コンテンツのバックライト輝度を制御するための識別情報を設定する。すなわち、ユーザが番組コンテンツの録画または録画予約を行うときに、記録再生装置に対して入力する録画情報として、バックライトの輝度を制御するための識別情報を入力しておく。そして記録再生装置２０がその番組を録画する際に、入力された識別情報を録画する番組コンテンツとともに所定の記録媒体に記録しておく。
【００３１】
ここでは、番組コンテンツとともに上記の識別情報を記録させるだけでなく、例えば、記録再生装置２０で録画予約を行う際に、ＥＰＧ（電子番組表）により録画予約を行うようにし、このときに記録再生装置２０では、録画予約情報に応じたバックライト輝度制御のための情報（以下に説明する録画予約アイコン情報）を生成して、録画の際に番組コンテンツに関連付けて記憶しておくようにしてもよい。
【００３２】
記録再生装置２０が記録した番組コンテンツを再生する際には、記録再生装置２０が上記番組コンテンツに関連付けて記憶した上記録画予約アイコン情報等の識別情報を読み出して、液晶表示装置１０に送り、液晶表示装置１０がバックライト点灯のための光源駆動回路を制御して、その識別情報に応じた輝度でバックライトを点灯させる。
【００３３】
また記録再生装置２０は、記録媒体のローディング時あるいは交換中には、液晶表示装置１０のバックライトの輝度を低下させる制御信号を出力する。また記録再生装置２０が複数の記録媒体を使用可能に構成されている場合に、それらの複数の記録媒体間で番組コンテンツのダビングまたはムーブを行なう際に、番組コンテンツにダビング禁止信号または著作権信号が含まれているときには、バックライトの輝度を低下させる制御信号を出力する。さらに記録再生装置２０では、番組コンテンツの静止画と動画を判別し、静止画のときには輝度を低下させる制御信号を出力する。
【００３４】
図２は、本発明に関わる表示システムの記録再生装置の構成例を示すブロック図である。以下の例では、ＥＰＧを使用して録画予約時に録画予約アイコンを設定し、その録画予約アイコンデータをバックライト輝度制御のための識別信号として利用する構成を示す。
【００３５】
記録再生装置２０のコンテンツ入力部１１は、テレビジョン放送などから選択された番組コンテンツを受信して、システム制御部１２に供給する。システム制御部１２は、ユーザ操作部１５を介してユーザから入力された操作に基づいて、記録再生装置２０の各ブロックの動作や各ブロック間のデータの入出力等を制御する。
またメモリ１３は、システム制御部１２が各種制御に使用するプログラムやデータを記憶するＲＯＭやプログラムを展開して保持するＲＡＭ等を含み、システム制御部１２は各種制御において適宜プログラムやデータを使用して処理を行う。
【００３６】
またシステム制御部１２は、コンテンツ入力部１１を介して電子番組表を取得し、またユーザ操作部１５を介して入力される録画予約情報に従って電子番組表の番組コンテンツの録画予約を行う。システム制御部１２で取得された電子番組表及びユーザによる録画予約情報は、メモリ１３に保持され、システム制御部１２は、その録画予約情報に従って、録画対象の番組コンテンツの録画処理を行う。またシステム制御部１２が取得した電子番組情報及び入力された録画予約情報は、コンテンツ出力部１６を介して液晶表示装置１０に出力され、液晶表示装置１０の表示画面に表示される。電子番組表とともに液晶表示装置１０に表示される録画予約情報は、所定の形式の録画予約アイコン情報として生成される。
また上記ユーザ操作部１５は、記録再生装置２０の本体に設けられた操作パネルや、図示しないリモコン装置の操作部等が該当する。
【００３７】
コンテンツ出力部１６は、システム制御部１２から入力されてくる番組コンテンツを液晶表示装置１０に対して出力する。記録媒体入出力部１４は、システム制御部１２から入力されてくる番組コンテンツデータを記録可能な形成に変換して記録媒体１７に記録する。また記録媒体入出力部１４は、記録媒体１７に記録されている番組コンテンツデータを読み出して、再生できる形式に変換してシステム制御部１２へ出力する。
【００３８】
記録媒体１７としては、光ディスクや磁気ディスクあるいはメモリカードなど各種の記録媒体が適宜適用可能に構成される。記録媒体入出力部１４には、ディスク状の記録媒体を搬送するためディスクトレイや、カード状記録媒体やカートリッジ状記録媒体を挿入するためのスロットが適宜設けられる。
また、記録媒体入出力部１４は、複数の記録媒体を併用可能とするために、複数種類のディスクトレイやスロットを設けたものであってもよい。この場合には、複数の記録媒体間で、番組コンテンツデータのダビングやムーブを簡単に実行することができる。
【００３９】
また記録媒体に記憶されるデータの種別としては、音声情報を伴う動画像からなる映像情報のコンテンツデータのみならず、映像情報のみあるいは音声情報のみからなるコンテンツデータであってもよく、またデジタルスチルカメラ等により撮影された静止画情報からなるコンテンツデータであってもよい。
【００４０】
また、番組コンテンツデータを記録する記録媒体として、ＨＤＤ等の固定記録装置を記録再生装置２０の内部に設けるようにしてもよい。この場合、記録媒体入出力部１４は、番組コンテンツをＨＤＤに記録する。またディスクやカード等の記録媒体と、ＨＤＤによる記録媒体とを併用できる構成であってもよい。
【００４１】
図３は、電子番組表の表示例を示す図で、図中、３０は液晶表示装置の表示画面、３１は録画予約アイコンである。図３の例に示すように、表示画面３０に表示された、例えば２月２６日午後９時の電子番組表には、お父さんが６チャンネルで午後９時から放送の番組「今日のＮｅｗｓ」を録画予約していることを表す録画予約アイコン３１ａと、お母さんが３４チャンネルで午後１０時から放送の番組「おしゃべりな・・・」を録画予約していることを表す録画予約アイコン３１ｂとが表示されている。
【００４２】
上記のように、記録再生装置２０で録画が予約されるときに、記録再生装置２０のシステム制御部１２が記録者を示す録画予約アイコンを生成し、電子番組表にその録画予約アイコンを書き込んで、液晶表示装置１０に出力する。録画予約アイコンは、ユーザによる録画予約時に、ユーザが設定入力した予約者情報に基づいて生成される。
【００４３】
図４は、電子番組表の他の表示例を示す図である。図４の例では、録画予約を行う番組コンテンツのジャンルに応じて、録画予約アイコンを生成し、電子番組表に表示する。例えば、２月２６日午後９時の電子番組表では、「野球中継」が録画予約され、スポーツのジャンル示す録画予約アイコン３１ｃが表示されている。また「月曜ナイト映画劇場」が録画予約され、映画のジャンルを示す録画予約アイコン３１ｄが表示されている。このようなジャンル別の録画アイコンは、ユーザによる録画予約時に、電子番組表に含まれる番組コンテンツのジャンル情報に基づいて生成される。
【００４４】
上記録画予約アイコンは、図３あるいは図４に示すような録画予約対象の番組コンテンツのタイトルの先頭に表示してもよいが、これに限らず、録画予約対象の番組コンテンツと関係付けられていることが視認できる形態で電子番組表の枠内の任意の位置に表示するようにしてもよい。例えば、録画予約アイコンと録画対象の番組コンテンツのタイトルとを矢印によって結びつけるように表示することで、視聴者は互いの関連付けを容易に知ることができる。
【００４５】
図５は、記録再生装置２０の機能を説明するためのブロック図である。記録再生装置２０は、電子番組表保持部２０１と、録画予約情報取得部２０２と、録画予約情報に基づいて電子番組表に録画予約アイコンを書き込む書込部２０３と、電子番組表に書き込まれた予約アイコンを含む電子番組表を出力できる出力部２０４と、を有している。これらの機能は、図２に示す記録再生装置２０の構成によって実現される。電子番組表はコンテンツ入力部１１から取得され、メモリ１３に保持される。録画予約情報はユーザ操作部１５から入力される。また電子番組表に対する録画予約アイコンの書き込みはシステム制御部１２により実行される。録画予約アイコンが書き込まれた電子番組表は、コンテンツ出力部１６を介して出力される。
【００４６】
以下に図５の機能について具体的に説明する。
電子番組表保持部２０１は、放送波、ＣＡＴＶ、インターネット、無線通信、公衆回線網などから取得した電子番組表を保持する。電子番組表保持部２０１は、取得した一以上の電子番組表を一定期間保持することができる。電子番組表は、映像情報に含まれて送られてくる番組情報であり、現在または将来に放送される電子データからなる番組表である。この電子番組表には、チャンネル、放送局名、放送日、放送開始時刻、放送時間、番組名、番組タイトル、番組のジャンル情報などが含まれる。電子番組表保持部２０１は、取得可能な全ての日数分の電子番組表を保持することができる。また、新たに配布される更新された電子番組表を、古い電子番組表に置き換えることができる。
【００４７】
録画予約情報取得部２０２は、録画予約情報を取得する。ユーザは、録画したい番組等をリモコン、リモコン機能を有した携帯電話、あるいは記録再生装置本体などから入力することで、録画予約情報取得部２０２が録画予約情報を取得する。録画予約情報には、録画予約日、録画開始時刻、録画時間、チャンネル、録画記録媒体種、録画予約者等の情報を含むことができる。また、録画予約情報はコード化されたものであってもよい。
【００４８】
録画予約情報取得部２０２が取得する録画予約情報は、電子番組表保持部２０１に保持されている電子番組表を利用して入力された録画予約情報であってもよい。例えば、電子番組表保持部２０１に保持されている電子番組表を液晶表示装置１０の表示画面に表示し、画面上の電子番組表からユーザが録画をしたい番組グラフィックインターフェイスを利用して選択することで、録画予約情報取得部２０２が録画予約情報を取得してもよい。例えば、上記のジャンル情報等は、録画予約時に電子番組表のジャンル情報から取得することができる。
【００４９】
書込部２０３は、録画予約情報に基づいて電子番組表に録画予約アイコンを書き込む。書込部２０３は、図５に示すように、電子番組表保持部２０１から電子番組表のデータを取り出して、取り出したデータに基づく電子番組表の写しに、録画予約情報に基づいた録画予約アイコンを書き込む。また電子番組表保持部２０１に保持された電子番組表そのものに録画予約情報に基づいた録画予約アイコンを直接書き込んでもよい。
【００５０】
録画予約アイコンは、録画が予約されていることを表示するアイコンである。この録画予約アイコンは、録画予約情報取得部２０２で取得した録画予約情報の中から、録画予約アイコンとして表示するべき情報を選択するように構成してもよい。例えば、録画予約情報の中から録画予約者を録画予約アイコンとして表示する。あるいは、録画コンテンツのジャンルを録画予約アイコンとして表示する。
【００５１】
予約者を示すアイコンの場合、予約者であるお父さんやお母さんの顔を模した顔アイコン、老人の顔を模した顔アイコン、あるいは子供の顔を模した顔アイコン等を表示させることができる。またジャンルを示すアイコンの場合、スポーツや映画、あるいはドラマ等、電子番組表で分類されているジャンル情報に従ってデザインされた特定のアイコンを表示させることができる。ここでは、録画予約アイコンは、視聴者が一見してそれが意味することを判断できる表示マークとして表示させるとよい。
【００５２】
出力部２０４は、書込部２０３で書き込まれた録画予約アイコンを含む電子番組表を出力する。この出力は有線であってもよいし無線であってもよい。また、出力先は記録再生装置２０に外部接続された液晶表示装置１０でもよく、記録再生装置２０と液晶表示装置１０が一体に構成された表示システムの表示装置でもよく、あるいはリモコンやリモコン機能を有する携帯電話の液晶表示装置１０でもよい。液晶表示装置１０は、録画予約アイコンを含む電子番組表を表示することができる表示画面を有する装置であり、この場合、発光輝度を可変調整することができるバックライトを備えた液晶表示装置であるものとする。
【００５３】
上記のごとくの処理により番組コンテンツが録画される際に、書込部２０３で書き込まれた録画予約アイコンは、録画される番組コンテンツデータとともに記録媒体１７（もしくは内蔵されたＨＤＤ，以下同様）に記録される。例えばここでは、番組コンテンツデータのタイトル情報とともに録画予約アイコンを記録しておくことができる。あるいは、録画予約アイコンを記録再生装置２０のメモリ１３に記録し、記録媒体１７に記録する番組コンテンツとその録画予約アイコンのデータとを関連付ける情報を、番組コンテンツデータに含ませるようにしてもよい。
【００５４】
そして記録再生装置２０で記録媒体１７に録画された番組コンテンツは、ユーザからの再生指示入力に従って適宜再生される。このときに、番組コンテンツを再生する記録再生装置２０のシステム制御部１２では、録画された番組コンテンツのデータに関連付けられている上記の録画予約アイコンデータに従って、液晶表示装置１０のバックライトの輝度を制御する制御信号を生成して液晶表示装置１０に出力する。
【００５５】
液晶表示装置１０では、バックライトの輝度を制御する制御信号によって、録画予約アイコンデータの内容に応じて異なるバックライト輝度が得られるように制御する。
例えば、録画予約アイコンデータによって予約者が老人や子供であることが判別された場合は、バックライトの輝度を相対的に低くする制御信号を出力し、予約者が老人ではない成人（例えば家族内の父親や母親）であることが判別された場合は、バックライトの輝度を相対的に高く維持する制御信号を出力する。
【００５６】
また、例えば、録画予約アイコンデータによって、録画予約対象の番組コンテンツのジャンルが映画であることが判別された場合は、バックライトの輝度を相対的に低くする制御信号を出力し、番組コンテンツのジャンルがスポーツやドラマ等が判別された場合は、バックライトの輝度を相対的に高く維持する制御信号を出力する。
【００５７】
上記のように、バックライト輝度を録画予約アイコンによって設定できるように予め定めておく。これらの設定は、上記の例に限ることなく、予約者やコンテンツジャンルの条件に応じて適宜任意に定めることができる。
【００５８】
以上の例では、電子番組表を使用した録画予約時に、バックライト輝度を制御するために使用する録画予約アイコンを生成する例を説明したが、上述のように、バックライト輝度を制御するための識別情報は、上記録画予約アイコンに限ることなく、例えば、記録再生装置に番組コンテンツの録画もしくは録画予約を行う際に、予め定めた視聴者を識別できる情報、あるいはジャンルを識別できる情報を例えばコード情報によって視聴者が入力設定することで、その番組コンテンツを再生する際に、液晶表示装置のバックライトの輝度制御を実現することができる。
【００５９】
この場合、記録再生装置２０のシステム制御部１２が、再生する番組コンテンツとともに記録されている上記識別情報を認識して、液晶表示装置１０のバックライトの輝度を制御する制御信号を生成して、液晶表示装置１０に送信する。これにより液晶表示装置１０ではその制御信号に従ってバックライトの輝度制御を行うことができる。
【００６０】
上記のような視聴者を識別できる情報、あるいはジャンルを識別できる情報の入力設定は、例えば、リモコン装置または、記録再生装置２０の本体に操作者選択ボタン及び決定ボタンを設けておき、記録再生装置２０の電源をＯＮした後その選択ボタンをユーザが押すことで、視聴者を識別できる情報（例えば、子供、老人、大人など）、あるいはジャンルを識別できる情報（例えば、映画、スポーツ、ドラマ、ニュースなど）のモードが順次変更されて表示され、所望のモードで決定ボタンを押すことにより視聴者を識別できる情報、またはジャンルを識別できる情報を入力設定することができる。
【００６１】
あるいは、上記の視聴者を識別できる情報、またはジャンルを識別できる情報をＯＳＤによって液晶表示装置の表示画面に表示させ、ユーザがそのＯＳＤ画面を利用して適宜所望の識別情報を選択することにより、これら識別情報の入力設定を行うことができる。
あるいは、液晶表示装置１０に指紋検出器を接続するか、指紋検出機能付き液晶表示装置としておいて、操作者が指をタッチすると操作者を識別して、上記識別情報を設定できるようにしてもよい。
【００６２】
また、上記のような識別情報に基づく輝度制御に加えて、もしくは識別情報に基づく輝度制御に代えて、ディスク状記録媒体の交換中、すなわちディスク状記録媒体の搬送用トレイが収納位置から取り出し位置に引き出されている間は、バックライトの輝度を相対的に低くする制御信号を出力するようにしてもよい。また同様に、カートリッジ状記録媒体あるいはカード状記録媒体がローディングされている間は、バックライトの輝度を相対的に低くする制御信号を出力するようにしてもよい。
【００６３】
あるいは、複数種類の記録媒体に対する記録再生が可能な構成の場合、記録媒体間における番組コンテンツのダビング中またはムーブを行う際に、番組コンテンツにダビング禁止信号または著作権信号が含まれている場合には、バックライトの輝度を相対的に低くする制御信号を出力するようにしてもよい。
さらには、再生する番組コンテンツが静止画か動画かを判別し、静止画のときには、バックライトの輝度を相対的に低くする制御信号を出力するようにしてもよい。
【００６４】
また記録再生装置２０には、その記録再生装置２０から液晶表示装置１０に送信される輝度制御信号を有効にするかまたは無効にするかを切り替え可能とする有効／無効選択手段を備えることができる。この有効／無効選択手段は、例えば、液晶表示装置１０にＯＳＤによって表示させた有効／無効の設定用画面を使用して、ユーザによる設定入力を可能とすることよって実現される。あるいは、有効／無効選択手段を実現するために、メカニカルスイッチを設け、その操作に応じて輝度制御信号の有効／無効を切り替え可能としてもよい。
【００６５】
さらには、上記の有効／無効選択手段による切り替え選択を、常時有効にするかまたは常時無効にするかを切り替える常時有効／常時無効設定手段を備えてもよい。この常時有効／常時無効設定手段は、同様に液晶表示装置１０にＯＳＤによって表示させた常時有効／常時無効の設定用画面を使用して、ユーザによる設定入力を可能とすることよって実現される。あるいは、常時有効／常時無効選択手段を実現するために、メカニカルスイッチを設け、その操作に応じて設定可能としてもよい。
【００６６】
次に、上記記録再生装置２０から出力されたバックライトの輝度制御信号に基づいて、バックライトの輝度制御を行う液晶表示装置１０の構成例を説明する。
図６は、本発明の表示システムにおける液晶表示装置の構成例を示すブロック図で、液晶表示装置１０として適用可能な液晶テレビの一例を示すものである。液晶テレビ１００は、アンテナで受信されたテレビ放送電波から希望するチャンネルを選局するチューナ１０１と、外部接続されたＡＶ機器からのビデオ信号を入力するビデオ入力端子１０２〜１０４と、外部接続されたパーソナルコンピュータ（ＰＣ）からのコンピュータ映像信号を入力するＰＣ入力端子１０５（例えば、Ｄ−Ｓｕｂ端子、ＤＶＩ端子など）と、チューナ１０１で選局されたテレビ受信信号とビデオ入力端子１０２〜１０４を介して入力された各ビデオ信号とを切替出力する映像切替スイッチ１０６とを備えている。なお、ここではチューナ１０１で選局されたテレビ受信信号とビデオ入力端子１０２〜１０４を介して入力された各ビデオ信号とが、テレビジョン映像信号に相当する。
【００６７】
Ｙ／Ｃ分離回路１０７は、映像切替スイッチ１０６より出力されたテレビジョン信号（コンポジット信号）を輝度信号Ｙと色信号Ｃと（ＹＣセパレート信号）に分離する。ＲＧＢデコーダ１０８は、Ｙ／Ｃ分離回路１０７で得られた輝度信号Ｙと色信号ＣとからＲ、Ｇ、Ｂ各原色信号に変換して出力する。またＡ／Ｄ変換回路１０９は、ＲＧＢデコーダ１０８で得られたＲ、Ｇ、Ｂ信号をＡ／Ｄ変換する。
【００６８】
映像信号処理装置１１０は、Ａ／Ｄ変換回路１０９で得られたＲ、Ｇ、Ｂ信号（テレビジョン映像信号）と、ＰＣ入力端子１０５より入力されたＰ、Ｇ、Ｂ信号（コンピュータ映像信号）とのそれぞれに対して、各入力映像信号フォーマットに応じた所望の映像処理（例えば、色空間変換処理、ＩＰ（Interlace To Progressive）変換処理、スケーリング処理、ＦＲＣ（Frame Rate Conversion）処理、γ補正処理、色補正処理及び同期検出処理など）を施し、選択的に切替出力する。
【００６９】
そしてＬＣＤコントローラ１１１は、映像信号処理装置１１０より出力されたＲ、Ｇ、Ｂ信号（画像表示信号）に基づいて、ソースドライバ１１２へ出力する階調データ及び信号線制御信号を生成するとともに、ゲートドライバ１１３へ出力する走査線制御信号を生成し、液晶パネル１１４における画像表示制御を行う。またＬＣＤコントローラ１１１は、インバータ回路等を備えた光源駆動回路１１５へ出力するバックライト制御信号を生成し、バックライト１１６の蛍光ランプの発光駆動制御を行う。
【００７０】
リモコン受光部１１７は、リモコン装置からの赤外線信号を受信する。そしてマイコン１１８は、リモコン受光部１１７が受信した赤外線信号を検出・解析し、チューナ１０１，映像切替スイッチ１０６，映像信号処理装置１１０，及びＬＣＤコントローラ１１１の各部に対して所定の制御信号を出力する。
【００７１】
またマイコン１１８は、ユーザによる設定指示に応じて、チューナ１０１による番組選局、映像切替スイッチ１０６によるテレビ受信信号と外部ビデオ信号１〜３との出力切替、映像信号処理装置１１０によるテレビジョン映像信号とコンピュータ映像信号との出力切替、などの制御を行う。
【００７２】
上記記録再生装置２０において、録画された番組コンテンツを再生する場合、記録媒体１７もしくは内蔵ＨＤＤから読み出された番組コンテンツデータは、記録再生装置２０のコンテンツ出力部１６から出力され、液晶表示装置１０の入力端子１０２〜１０４のいずれかから、もしくは他の専用線から液晶表示装置１０に入力される。
このときに、記録再生装置２０のシステム制御部１２で生成されたバックライト輝度を制御する制御信号も上記番組コンテンツデータともに液晶表示装置１０に入力する。バックライト輝度を制御する制御信号は、ＬＣＤコントローラ１１１を介して光源駆動回路１１５に入力され、光源駆動回路１１５ではその制御信号に従ってバックライト１１６の輝度を調整する。
【００７３】
図７は、図６に示した液晶表示装置の光源駆動回路及びバックライトの構成例を示す図である。バックライト１１６は、液晶パネル１１４を照明する陰極管（ＣＣＦＴ：Cold Cathode Fluorescent Tube）からなる複数の蛍光ランプ６１が備えられる。
光源駆動回路１１５は、ＬＣＤコントローラ１１１からの制御信号に従ってバックライト１１６の点灯制御を行うマイコン（マイクロコンピュータ）４０と、複数のインバータ５１を備えたインバータ回路５０からなっている。インバータ回路５０は、商用電源から変換された直流電圧を数十Ｋ〜数百ＫＨｚの高周波電圧に変換してバックライト１１６を駆動する。
【００７４】
また上記の他、光源駆動回路１１５には、外部の商用電源から適切な直流電源に変換して装置に供給するＡＣアダプタと、ＡＣアダプタから供給される電源電圧を整流してマイコン４０に所定の直流電圧を出力するレギュレータ（いずれも図示せず）とが含まれる。
なおここでは４つの蛍光ランプ６１を備えた構成を例示しているが、蛍光ランプ６１やインバータ５１の個数及び配置は液晶パネル１１４の寸法等に応じて適宜定められる。
【００７５】
マイコン４０は、マイコン内部及び外部の装置に対してバックライト１１６の点灯制御を行う制御手段４１と、インバータ回路５０に調光パルスを供給する調光パルス発生回路４２と、調光パルス発生回路４２により生成した調光パルスのパルス幅及び周期を変調してインバータ回路５０に入力するＰＷＭ（Pulse Width Modulation：パルス幅変調）部４３とを備えている。
【００７６】
調光パルス発生回路４２は、基準発振クロックを生成する基準発振器（図示せず）を有しており、このクロックに基づいて調光パルスを生成する。ここでは一つの基準発振器により周波数の異なる複数の調光パルスを生成して各ＰＷＭ部４３に出力するようにしてもよいし、複数の基準発振器を備え、それぞれが異なる周期の調光パルスを各ＰＷＭ部４３に出力するようにしてもよい。
また各ＰＷＭ部４３は、バックライト１１６の各蛍光ランプ６１にそれぞれ対応しているため、バックライト１１６の蛍光ランプ６１と同数のＰＷＭ部４３をマイコン４０において備えるものとする。
【００７７】
インバータ回路５０は、上記のように複数のインバータ５１を含んでいる。各インバータ５１は、上記ＡＣアダプタの出力から供給される直流電圧をトリガーとして入力し数十Ｋ〜数百ＫＨｚの高周波電圧に変換して各蛍光ランプ６１に供給する。また、各インバータ５１には、調光パルス発生回路４２により生成され各ＰＷＭ部４３において変調された調光パルスが入力されており、この調光パルスにより各蛍光ランプ６１に供給する高周波電圧を調整するように構成されている。
【００７８】
制御手段４１は、上記光源駆動回路１１５の基本駆動電源制御とは別に、ＬＣＤコントローラ１１１からの制御信号を受けてバックライト１１６の輝度を変更する駆動電源制御を行う。ここでバックライト１１６の輝度を調整するための制御信号に従う駆動電源制御には、バックライトの輝度変更、バックライトのオン／オフ、及び各蛍光ランプ６１の一部オフも含まれる。
【００７９】
図８は、図７に示す光源駆動回路及びバックライトの構成例を詳細に示す図である。図８に示す回路は、一般的に知られているバックライト用インバータ回路であり、蛍光ランプ１本を点灯する場合を代表して示す。
図８において、電源１２０は上述のレギュレータから供給される直流電圧に相当するものであり、この直流電圧をインバータ回路５０で高周波電圧に変換し、蛍光ランプ６１を駆動する。ＰＷＭ調光回路部１３０は、図７の各ＰＷＭ部４３に相当するものであり、その他の回路部分は図７の各インバータ５１に相当するものである。
【００８０】
図７の調光パルス発生回路４２により生成した調光パルスは、図８に示すＰＷＭ調光回路部１３０の端子Ｓ１に入力され、発信回路を通じてインバータ回路部分に出力される。これにより、電源１２０から供給され、高周波電圧として蛍光ランプ６１に出力される駆動電圧を、一定周期でオン／オフすることができるようになっている。
【００８１】
すなわち、光源駆動回路の制御手段４１は、記録再生装置２０から出力された輝度を制御する制御信号に従って、バックライト１１６の輝度を制御する。
以上のような構成によって、記録再生装置２０で番組コンテンツを録画もしくは録画予約する際に生成した情報に従って、その番組コンテンツを再生するときに、録画予約時の条件に応じたバックライトの輝度制御を実行することができる。
【００８２】
なお上記実施形態では、バックライト１１６の光源としてＣＣＦＴを用いた蛍光ランプ６１の例を説明したが、これに限らず、例えば、ＥＬ（Electro Luminescence）や白色ＬＥＤ（Light Emitting Diode）等の他の種類の光源を用いることが可能である。また、液晶パネル１１４を照明する照明光源部としては、上記バックライト方式のほか、フロントライト方式も適用することができ、またバックライト方式の中にはエッジライト方式も含まれる。
【図面の簡単な説明】
【００８３】
【図１】本発明に関わる表示システムの構成例を示す図である。
【図２】本発明に関わる表示システムの記録再生装置の構成例を示すブロック図である。
【図３】電子番組表の表示例を示す図である。
【図４】電子番組表の他の表示例を示す図である。
【図５】記録再生装置の機能を説明するためのブロック図である。
【図６】本発明の表示システムにおける液晶表示装置の構成例を示すブロック図である。
【図７】図６に示した液晶表示装置の光源駆動回路及びバックライトの構成例を示す図である。
【図８】図７に示す光源駆動回路及びバックライトの構成例を詳細に示す図である。
【符号の説明】
【００８４】
１…表示システム、１０…液晶表示装置、１１…コンテンツ入力部、１２…システム制御部、１３…メモリ、１４…記録媒体入出力部、１５…ユーザ操作部、１６…コンテンツ出力部、１７…記録媒体、２０…記録再生装置、３０…表示画面、３１ａ〜３１ｄ…録画予約アイコン、４０…マイコン、４１…制御手段、４２…調光パルス発生回路、４３…ＰＷＭ部、５０…インバータ回路、５１…インバータ、６１…蛍光ランプ、１００…液晶テレビ、１０１…チューナ、１０２〜１０４…ビデオ入力端子、１０５…ＰＣ入力端子、１０６…映像切替スイッチ、１０７…Ｙ／Ｃ分離回路、１０８…ＲＧＢデコーダ、１０９…Ａ／Ｄ変換回路、１１０…映像信号処理装置、１１１…ＬＣＤコントローラ、１１２…ソースドライバ、１１３…ゲートドライバ、１１４…液晶パネル、１１５…光源駆動回路、１１６…バックライト、１１７…リモコン受光部、１１８…マイコン、１２０…電源、１３０…ＰＷＭ調光回路部、２０１…電子番組表保持部、２０２…書込部、２０２…録画予約情報取得部、２０３…書込部、２０４…出力部。
【図１】
2006318518.tif 000003
【図２】
2006318518.tif 000004
【図３】
2006318518.tif 000005
【図４】
2006318518.tif 000006
【図５】
2006318518.tif 000007
【図６】
2006318518.tif 000008
【図７】
2006318518.tif 000009
【図８】
2006318518.tif 000010